(57)【要約】【解決手段】容器のためのカバー部材（１）であって、カバー部材は、キャップ部分（２）と、キャップ部分から延設された脚部部材（３）とを備え、脚部部材は、容器に面するように配置された内面と、キャップの使用中に見える外面とを有し、カバー部材はさらに、１又は複数の耳部（４ａ，４ｂ）を、脚部部材の内面に配置されて具備し、耳部は、毛髪除去ツールを受け入れるように配置されている。【選択図】図１
2009513446.tif 000002
【特許請求の範囲】
【請求項１】
容器のためのカバー部材であって、カバー部材は、キャップ部分と、キャップ部分から延設された脚部部材とを備え、脚部部材は、容器に面するように配置された内面と、キャップの使用中に見える外面とを有し、カバー部材はさらに、１又は複数の耳部を、脚部部材の内面に配置されて具備し、耳部は、毛髪除去ツールを受け入れるように配置されていることを特徴とするカバー部材。
【請求項２】
１又は複数の耳部は、脚部部材に又は脚部部材のまわりに配置されていることを特徴とする請求項１に記載のカバー部材。
【請求項３】
カバー部材が、少なくとも２つの耳部を具備していることを特徴とする請求項１又は２に記載のカバー部材。
【請求項４】
それぞれの耳部は、毛髪除去ツールのハンドル部分を受け入れるように配置されていることを特徴とする請求項１乃至３の何れか１項に記載のカバー部材。
【請求項５】
キャップ部材は、半球形又は円錐台の形状であることを特徴とする請求項１乃至４の何れか１項に記載のカバー部材。
【請求項６】
キャップ部分は、カバー部材を着脱可能に容器に係合させるように配置された、１又は複数の突起部を具備していることを特徴とする請求項１乃至５の何れか１項に記載のカバー部材。
【請求項７】
突起部は、キャップ部分の外縁から内方へ延びる半径方向に配置されていることを特徴とする請求項６に記載のカバー部材。
【請求項８】
化粧品の合成剤のためのキットであって、このキットが、
化粧品の合成剤を受け入れるように設けられた容器と、
毛髪除去ツールと、
容器のためのカバー部材であって、カバー部材は、キャップ部分と、キャップ部分から延設された脚部部材とを備え、脚部部材は、容器に面するように配置された内面と、キャップの使用中に見える外面とを有し、カバー部材はさらに、１又は複数の耳部を、脚部部材の内面に配置されて具備し、耳部は、毛髪除去ツールを受け入れるように配置されているような上記カバー部材と、
を備えていることを特徴とするキット。
【請求項９】
カバー部材は、容器から着脱可能になっていることを特徴とする請求項８に記載のキット。
【請求項１０】
毛髪除去ツールは、かみそりであって、首部と、ハンドルと、少なくとも１つの刃を有する頭部部分とを具備していることを特徴とする請求項８又は９に記載のキット。
【請求項１１】
容器は、フォーム、ゲル、又はクリームなどのひげ剃り支援物を受け入れるように構成されていることを特徴とする請求項１０に記載のキット。
【請求項１２】
毛髪除去ツールは、脱毛剤用のへらであって、少なくとも１つのスクレーパ縁部と、首部と、ハンドルとを有してなる、頭部部分を具備していることを特徴とする請求項８又は９に記載のキット。
【請求項１３】
容器は、脱毛剤を受け入れるように設けられていることを特徴とする請求項１２に記載のキット。
【請求項１４】
カバー部材は、突起部を具備し、突起部は、容器の唇部分と係合するように配置され、それにより、カバー部材が着脱可能に容器に取り付けられることを特徴とする請求項８乃至１３の何れか１項に記載のキット。
【発明の詳細な説明】
【技術分野】
【０００１】
本発明は、容器のためのカバー部材に関する。
【背景技術】
【０００２】
エアゾール又はポンプのタイプの円筒形の容器は、例えば、クリーム、ゲル、又はフォームなどの化粧品製品を保存するために、しばしば使用されている。そうした化粧品製品は、しばしば、ツールと組み合わせて使用される。例えば、脱毛剤は、代表的に、へら又はスクレーパ装置と一緒に使用され、一方、ひげ剃り支援物の合成剤（シェービングゲルなど）は、しばしば、かみそりと一緒に使用される。
【０００３】
毛髪除去ツールは、しばしば、化粧品の合成剤と一緒に販売され、従って、化粧品の合成剤と共に包装される。しかしながら、そうした包装は、販売箇所のためにデザインされた、二次的な包装であり、従って、いったん消費者が製品を購入して、二次的な包装を開くと、ツールと、化粧品の合成剤を収容した容器とは分離される。これは、ツールをしばしば置き忘れるために、不都合である。加えて、毛髪除去ツールを容器の横に配置することは、しばしば、消費者を審美的に喜ばせない。
【発明の開示】
【発明が解決しようとする課題】
【０００４】
従って、本発明の目的は、上に列挙した不都合の少なくともいくつかを軽減することである。
【０００５】
本発明のさらに別の目的は、容器のためのカバー部材を提供することである。
【課題を解決するための手段】
【０００６】
従って、本発明の第１の観点によって提供されるカバー部材は、容器のためのカバー部材であって、カバー部材は、キャップ部分と、キャップ部分から延設された脚部部材とを備え、脚部部材は、容器に面するように配置された内面と、キャップの使用中に見える外面とを有し、カバー部材はさらに、１又は複数の耳部を、脚部部材の内面に配置されて具備し、耳部は、毛髪除去ツールを受け入れるように配置されていることを特徴とする。
【０００７】
本発明は、耳部が、（例えば、保存又は輸送中に）脱毛ツールを所定位置に保持し、使用前に隠して保持するので、特に有利である。
【０００８】
好ましくは、カバー部材は、少なくとも２つの耳部を具備している。それぞれの耳部は、毛髪除去ツールにおけるハンドル部分を受け入れるように設けられている。
【０００９】
毛髪除去ツールは、脱毛剤（ゲル、クリーム、又はフォームなど）を除去するために使用するのに適した、例えば、へらなどのツールであることが考えられる。代表的には、毛髪除去ツールは、ユーザの皮膚に接触するように設けられた、屈曲したスクレーパ縁部を有してなる、頭部部分を具備し、それにより、脱毛剤を除去する。へらは、頭部部分に結合されたハンドルを備え、頭部は、頭部から遠くへ延びた１又は複数のフィンを具備していることが特に好ましい。
【００１０】
変形例としては、毛髪除去ツールは、例えば、かみそり刃などの、１又は複数の刃を具備している。代表的には、毛髪除去ツールは、ハンドルと頭部部分とを具備しており、頭部部分は１又は複数の刃を具備している。
【００１１】
従って、毛髪除去ツールは、首部分によってハンドルから分離できる頭部部分を具備することが特に好ましい。有利には、耳部は、毛髪除去ツールの首部分を受け入れて、従って、着脱可能に保持する。
【００１２】
キャップ部分は、半球形又は円錐台の形状であることが好ましいが、しかしながら、他の形状を使用することも考えられる。
【００１３】
カバー部材は、アルミニウムなどの金属から製造してもよいが、しかしながら、カバー部材は、ポリエチレン又はポリプロピレンなどのプラスチック材料から製造することが好ましい。従って、カバー部材は、射出成形工程によって製造するのが好ましい。
【００１４】
有利には、キャップ部分はさらに、１又は複数の突起部を具備しており、カバー部材を着脱可能に（化粧品の合成剤の容器などの）容器に係合させるように設けられる。突起部は、代表的には、キャップ部分の外縁から内方へ延びる半径方向に配置されている。
【００１５】
本発明のさらに別の観点によれば、化粧品の合成剤のためのキットが提供されて、このキットは、
化粧品の合成剤を受け入れるように設けられた容器と、
毛髪除去ツールと、
容器のためのカバー部材であって、カバー部材は、キャップ部分と、キャップ部分から延設された脚部部材とを備え、カバー部材は、毛髪除去ツールを受け入れるように設けられた、１又は複数の耳部を備えているような、上記カバー部材と、
を備えていることを特徴とする。
【００１６】
カバー部材は、代表的には、容器から着脱可能になっている。
【００１７】
好ましくは、カバー部材及び／又は毛髪除去ツールは、実質的に、上述したものである。
【００１８】
容器は、好ましくは、円筒形の容器であるが、しかしながら、他の形状の容器も考えられる。
【００１９】
カバー部材は、突起部を具備し、突起部は、容器の唇部分と係合するように配置され、それにより、カバー部材が着脱可能に容器に取り付けられるならば、特に望ましい。
【００２０】
以下、本発明について、添付図面を参照して、例示的にのみ説明する。
【発明を実施するための最良の形態】
【００２１】
図１及び図２を参照すると、対応する部分には、対応する参照符号が付されており、カバー部材１が示されている。カバー部材は、キャップ部分２と、脚部３とを具備している。耳部４ａ及び４ｂは、脚部３に一体的に形成されている。突起部５ａ，５ｂ，５ｃは、カバー部材１におけるキャップ部分２と一体的に形成されている。
【００２２】
使用に際しては、耳部４ａ及び４ｂは、毛髪除去ツールの首部を保持し、それにより、毛髪除去ツールをカバー部材の内部に収容する。耳部４ａ及び４ｂは、毛髪除去ツールと着脱可能に係合する。
【００２３】
図３及び図４を参照すると、対応する部分には、対応する参照符号が付されており、本発明によるキット２１が示されている。容器６は、唇部７を有し、カバー部材１の突起部５ａ，５ｂ，５ｃと係合するように配置されている。
【００２４】
毛髪除去へら３は、（スクレーパ縁部１０を有する）頭部部分９と、首部１１と、ハンドル１２とを備えており、首部１１にて、耳部４ａ及び４ｂに着脱可能に保持される。
【００２５】
組み立てられた形態においては、へら８は、耳部４ａ及び４ｂによって、カバー部材１の所定位置に保持される。カバー部材１は、容器６上に配置されて、唇部７が突起部５ａ，５ｂ，５ｃと係合することで、所定位置に着脱可能に保持される。
【図面の簡単な説明】
【００２６】
【図１】本発明によるカバー部材を示した、正面斜視図である。
【図２】本発明によるカバー部材を下方から示した斜視図である。
【図３】本発明によるキットを示した正面図であって、カバー部材を容器から取り外した様子を示している。
【図４】本発明によるキットを示した正面図であって、カバー部材を容器に係合させた様子を示している。
【図１】
2009513446.tif 000003
【図２】
2009513446.tif 000004
【図３】
2009513446.tif 000005
【図４】
2009513446.tif 000006
【国際調査報告】
2009513446.tif 000007
2009513446.tif 000008